(57)【要約】【課題】陳列する品物に対応させた情報表示領域を大きくとることができるようにする。【解決手段】陳列棚５００に品物を載置可能な棚板５１１，５１２，５１３を設け、この棚板５１１，５１２，５１３に対応付けて裏面側から投影されるプロジェクタ画像を表面側に透過投影可能な透過型のスクリーン５２１，５２２，５２３を配置する。また、陳列棚５００には、プロジェクタ２０１を載置するプロジェクタ設置台５７０を配置すると共に、プロジェクタ２０１の投影像を棚板５１１，５１２，５１３に向けて反射する平面鏡５５１，５５２，５５３を設ける。スクリーン５２１，５２２，５２３はプロジェクタ２０１の投影像が合焦し、かつ、歪みが発生しないように取付け角度及び取付け位置を設定する。【選択図】図１０
2007289636.tif 000002
【特許請求の範囲】
【請求項１】
品物を載置可能な載置台と、
前記載置台に対応付けて当該載置台の前方領域に位置付けられ、裏面側から投影されるプロジェクタ画像を表面側に透過投影可能な透過型のスクリーンと、
前記スクリーンの裏面側から投影されるプロジェクタ画像を遮ることなく当該スクリーンの裏面側に導くように確保された画像投影空間と、
を備える陳列棚。
【請求項２】
品物を載置可能な棚板を備える載置台と、
前記棚板載置台に対応付けて当該載置台の前方領域に位置付けられ、裏面側から投影されるプロジェクタ画像を表面側に透過投影可能な透過型のスクリーンと、
前記スクリーンの裏面側から投影されるプロジェクタ画像を遮ることなく当該スクリーンの裏面側に導くように確保された画像投影空間と、
前記プロジェクタ画像を投影するプロジェクタを設置するプロジェクタ設置部と、
を備える陳列棚。
【請求項３】
前記載置台及び前記スクリーンは、複数段設けられている、請求項１又は２記載の陳列棚。
【請求項４】
前記スクリーンは、前記載置台の前端から下方に向けて延出している、請求項１ないし３のいずれか一記載の陳列棚。
【請求項５】
前記スクリーンは、前記載置台の幅一杯に切れ目なく形成されている、請求項１ないし４のいずれか一記載の陳列棚。
【請求項６】
前記スクリーンとは別に、前記載置台に対応付けて当該載置台の後方領域に位置付けられ、裏面側から投影されるプロジェクタ画像を表面側に透過投影可能な透過型の別のスクリーンを備える、請求項１ないし５のいずれか一記載の陳列棚。
【請求項７】
前記別のスクリーンは、前記載置台の後端から上方に向けて延出している、請求項６記載の陳列棚。
【請求項８】
前記別のスクリーンは、前記載置台の幅一杯に切れ目なく形成されている、請求項６又は７記載の陳列棚。
【請求項９】
前記画像投影空間には、前記プロジェクタ装置からのプロジェクタ画像を反射して前記スクリーンに導く反射装置を備え、前記プロジェクタ設置は、投影されるプロジェクタ画像が前記スクリーンに結像される個所に配置される請求項２記載の陳列棚。
【請求項１０】
前記スクリーンは、前記プロジェクタ装置が投射するプロジェクタ画像の反射結像系における投影像面に配置されるべくプロジェクタの基準面からの光学的距離が設定されて配置されている請求項２又は９記載の陳列棚。
【請求項１１】
前記スクリーンは、前記プロジェクタが投射するプロジェクタ画像の反射結像系における投影像面に配置されるべくプロジェクタの光軸に対する角度が略垂直となるよう設定されている請求項２、９、１０のいずれか一記載の陳列棚。
【請求項１２】
前記反射装置は複数段設けられたスクリーンに対応して複数設けられる請求項９記載の陳列棚。
【請求項１３】
前記プロジェクタ配置部はプロジェクタを水平方向に配置するものである請求項２ないし１２のいずれか一記載の陳列棚。
【請求項１４】
プロジェクタから投影されたプロジェクタ画像を反射して前記反射装置に導く第２の反射装置を備える請求項１３の陳列棚。
【請求項１５】
品物を載置可能であって異なる高さ位置に配置された複数の載置台と、
各載置台の上段の載置台又は上段に配置される部材に取り付けられて、各載置台の前方上側に配置され、後方である裏面側から投影された画像を表面側に透過投影可能な複数の透過型スクリーンと、
一画面で構成されたプロジェクタ画像を投影するプロジェクタが配置されるプロジェクタ設置部と、
前記複数の載置台の後側に配置され、前記プロジェクタからのプロジェクタ画像を略鉛直方向に導くよう確保された鉛直投影領域と、
前記鉛直投影領域における前記複数の透過型スクリーンの設置の高さ位置に対応した高さ位置に配置され、プロジェクタが投影する一画面のプロジェクタ画像の一部をなす分割プロジェクタ画像を分離すると共に、この分割プロジェクタ画像を略水平方向に向け投影するように偏向する複数の反射装置と、
各載置台の上側であって前記反射装置と前記透過型スクリーンとの間配置され、前記各分割プロジェクタ画像を水平方向に導き前記透過型スクリーンに投射するよう確保された複数の画像水平投影領域と、
を備える陳列棚。
【請求項１６】
前記プロジェクタ設置部は、プロジェクタを略水平状態で配置するものとして構成され、
前記プロジェクタ設置部と前記鉛直投影領域との間には、前記プロジェクタが投影するプロジェクタ画像を前記鉛直投影領域に向け反射する第２の反射装置を備える請求項１５記載の陳列棚。
【請求項１７】
前記水平投影領域の下方には、前記透過型スクリーンの下端側から後方に向け前記画像投影水平領域への物品の進入を防止する天井板が配置されている請求項１５又は１６記載の陳列棚。
【請求項１８】
請求項１ないし１７のいずれか一記載の陳列棚と、
前記画像投影空間を介して前記スクリーンにプロジェクタ画像を投影可能な位置、または、プロジェクタ設置部に配置され、受信した画像データに基づくプロジェクタ画像を投影するプロジェクタと、
情報処理を実行する情報処理部を有して当該情報処理部の情報処理機能によって画像データを生成可能であり、生成した画像データを前記プロジェクタに送信するコンピュータと、
を備える陳列棚システム。
【請求項１９】
前記プロジェクタ画像を複数に分割して前記スクリーンに投影する画像分割手段を備える、請求項１８記載の陳列棚システム。
【発明の詳細な説明】
【技術分野】
【０００１】
本発明は、品物の陳列に適した棚に係り、特に、プロジェクタを用いて陳列対象となる品物についての情報を透過投影できるようにした陳列棚及び陳列棚システムに関する。
【背景技術】
【０００２】
品物を陳列する陳列棚は、代表的には小売業の店舗、例えばスーパーマーケットやコンビニエンスストア、ホームセンター、デパート内の各種商品の売場等で広く用いられている。小売業の店舗では、陳列棚に商品を陳列し、陳列する商品に対応付けて棚札が付けられる。棚札は、対応付けられる商品の価格やその他の情報を顧客に示すことを目的としている。このような棚札として、近年、電子棚札が開発されている（特許文献１参照）。電子棚札は、例えば液晶パネルや有機ＥＬパネル等によって形成されている（例えば、特許文献１の段落０００８参照）。
【０００３】
小売業の店舗で用いられる陳列棚は、商品を陳列し、棚札や電子棚札を用いて陳列した商品の価格やその他の情報を示すことを主要な用途としている。これに対して、陳列棚に陳列した商品を顧客に注目させ、より多くの購買に繋げるようにする手法として、ＰＯＰ広告（Point of Purchase ）という手法が従来から広く用いられている。特許文献２には、陳列棚の天壁にプロジェクタとこのプロジェクタからの投影画像を透過投影するスクリーンとを設けた陳列棚（特許文献２ではショーケース）が開示されている。このような技術を採用することで、通常は紙などの記録媒体に印刷されたＰＯＰ広告の取り付け作業を行うことなく、スクリーンに透過投影するプロジェクタ画像によって、陳列棚に陳列された商品の展示効果を促進することができよう（特許文献２の段落００１８参照）。
【０００４】
【特許文献１】特開２００５−０９９８８８公報
【特許文献２】特開２００１−２４５７５６公報
【発明の開示】
【発明が解決しようとする課題】
【０００５】
特許文献１に示されている電子棚札は、情報表示領域を広くとることが困難である。その主な理由は価格面からの理由であるが、別の理由としては、液晶パネルや有機ＥＬパネルの歩留まりの面からも、情報表示領域を広くとることが困難なことが説明できる。また、特許文献１には、複数の薄型表示装置を横に連結して横長に形成することが開示されているが（図８参照）、この場合には、どうしても薄型表示装置同士の間に継ぎ目が生じてしまう。このため、継ぎ目の部分では、自然で綺麗な表示をすることができない。
【０００６】
また、電子棚札では情報表示領域を広くとることができないという事情から、そこに表示できる情報は、対応する商品の価格とその他の僅かな情報に留まる。このため、ＰＯＰ広告のような機能を電子棚札に持たせることは困難である。
【０００７】
本発明の目的は、陳列する品物に対応させた情報表示領域を大きくとることができる陳列棚及び陳列棚システムを提供することである。
【課題を解決するための手段】
【０００８】
本発明の陳列棚は、品物を載置可能な載置台と、前記載置台に対応付けて当該載置台の前方領域に位置付けられ、裏面側から投影されるプロジェクタ画像を表面側に透過投影可能な透過型のスクリーンと、前記スクリーンの裏面側から投影されるプロジェクタ画像を遮ることなく当該スクリーンの裏面側に導くように確保された画像投影空間と、を備える。
【０００９】
また、本発明の陳列棚は、品物を載置可能な棚板を備える載置台と、前記棚板載置台に対応付けて当該載置台の前方領域に位置付けられ、裏面側から投影されるプロジェクタ画像を表面側に透過投影可能な透過型のスクリーンと、前記スクリーンの裏面側から投影されるプロジェクタ画像を遮ることなく当該スクリーンの裏面側に導くように確保された画像投影空間と、前記プロジェクタ画像を投影するプロジェクタを設置するプロジェクタ設置部と、を備える。
【００１０】
さらに、本発明の陳列棚は、品物を載置可能であって異なる高さ位置に配置された複数の載置台と、各載置台の上段の載置台又は上段に配置される部材に取り付けられて、各載置台の前方上側に配置され、後方である裏面側から投影された画像を表面側に透過投影可能な複数の透過型スクリーンと、一画面で構成されたプロジェクタ画像を投影するプロジェクタが配置されるプロジェクタ設置部と、前記複数の載置台の後側に配置され、前記プロジェクタからのプロジェクタ画像を略鉛直方向に導くよう確保された鉛直投影領域と、
前記鉛直投影領域における前記複数の透過型スクリーンの設置の高さ位置に対応した高さ位置に配置され、プロジェクタが投影する一画面のプロジェクタ画像の一部をなす分割プロジェクタ画像を分離すると共に、この分割プロジェクタ画像を略水平方向に向け投影するように偏向する複数の反射装置と、各載置台の上側であって前記反射装置と前記透過型スクリーンとの間配置され、前記各分割プロジェクタ画像を水平方向に導き前記透過型スクリーンに投射するよう確保された複数の画像水平投影領域と、を備える。
【００１１】
本発明は、また、そのような陳列棚を備え、更に、前記画像投影空間を介して前記スクリーンにプロジェクタ画像を投影可能な位置又はプロジェクタ設置部に配置され、受信した画像データに基づくプロジェクタ画像を投影するプロジェクタと、情報処理を実行する情報処理部を有して当該情報処理部の情報処理機能によって画像データを生成可能であり、生成した画像データを前記プロジェクタに送信するコンピュータと、を備える陳列棚システムをも規定する。
【発明の効果】
【００１２】
本発明によれば、品物を載置可能な載置台に対応付けて当該載置台の前方領域に位置付けられたスクリーンにプロジェクタ画像を透過投影できるようにしたので、載置台に載置した品物に関する情報の情報表示利用域を広くとることができ、それ故にスクリーンにＰＯＰ広告機能を果たす表示をすることもできる。
【発明を実施するための最良の形態】
【００１３】
本発明の実施の一形態を図１ないし図７に基づいて説明する。本実施の形態は、スーパーマーケットへの適用に適した陳列棚システム１１について紹介する。
【００１４】
図１は、陳列棚システム１１の全体の模式図である。本実施の形態の陳列棚システム１１は、店舗内に設置される陳列棚１０１と、陳列棚１０１の背面に設置されるプロジェクタ２０１と、バックヤードに配置されるコンピュータ３０１とから構成されている。プロジェクタ２０１とコンピュータ３０１とは、ネットワーク４０１を介して接続されている。
【００１５】
陳列棚１０１は、品物である商品１０２を載置して陳列可能な載置台１０３を備えている。載置台１０３は三段設けられ、その側面を一対の側板１０４に支持されている。陳列棚１０１は、また、個々の載置台１０３毎に、二種類のスクリーン１０５を備えている。一つは、載置台１０３の前端から下方に向けて垂下延出する第１のスクリーン１０５ａである。もう一つは、載置台１０３の後端から上方に向けて垂直に立設される第２のスクリーン１０５ｂである。第１のスクリーン１０５ａは、載置台１０３に対応付けて当該載置台１０３の前方領域に位置付けられることになる。これに対して、第２のスクリーン１０５ｂは、載置台１０３に対応付けて当該載置台１０３の後方領域に位置付けられることになる。これらのスクリーン１０５は、例えば磨りガラス様の構造を備え、裏面から投影されるプロジェクタ画像を表面側に透過投影可能な透過型のものである。これらの各スクリーン１０５（第１のスクリーン１０５ａ、第２のスクリーン１０５ｂ）は、載置台１０３の幅一杯に切れ目なく形成されている。
【００１６】
プロジェクタ２０１は、陳列棚１０１が備えているスクリーン１０５、つまり第１のスクリーン１０５ａ及び第２のスクリーン１０５ｂに向けてレンズ２０２からプロジェクタ画像を投影する、例えば液晶プロジェクタである。そこで、プロジェクタ２０１は、バックヤードに設置されたコンピュータ３０１から送信された画像データを受信し、受信した画像データに基づくプロジェクタ画像を生成してレンズ２０２からスクリーン１０５に投影する。
【００１７】
コンピュータ３０１は、その外観態様として、本体タワー３０２、ディスプレイ３０３、キーボード３０４、及びマウス等のポインティングデバイス３０５を備えて構成されている。
【００１８】
図２は、陳列棚１０１とプロジェクタ２０１との配置関係を示す縦断側面図である。プロジェクタ２０１は、図２中、一点鎖線で示す投射領域Ａでプロジェクタ画像を投射する。このようなプロジェクタ２０１の投射領域は、下段の載置台１０３に設けられている第１のスクリーン１０５ａに対応する投射領域Ａ１及び第２のスクリーン１０５ｂに対応する投射領域Ａ２、中段の載置台１０３に設けられている第１のスクリーン１０５ａに対応する投射領域Ａ３及び第２のスクリーン１０５ｂに対応する投射領域Ａ４、そして、上段の載置台１０３に設けられている第１のスクリーン１０５ａに対応する投射領域Ａ５及び第２のスクリーン１０５ｂに対応する投射領域Ａ６に分割されている。
【００１９】
上記投射領域Ａに関して、第１のスクリーン１０５ａに対する投射領域Ａ３及びＡ５を確保するために、第２のスクリーン１０５ｂが陳列棚１０１の背面を完全に覆わない構成が採用されている。つまり、下段の載置台１０３に設けられている第２のスクリーン１０５ｂは、中段の載置台１０３までは達しない寸法とされ、これにより、中段の載置台１０３に設けられている第１のスクリーン１０５ａに対する投射領域Ａ３が確保されている。また、中段の載置台１０３に設けられている第２のスクリーン１０５ｂは、上段の載置台１０３までは達しない寸法とされ、これにより、上段の載置台１０３に設けられている第１のスクリーン１０５ａに対する投射領域Ａ５が確保されている。更に、下段の載置台１０３に設けられている第１のスクリーン１０５ａは、一点鎖線で示す投射領域Ａまで垂下しており、これによって下段の載置台１０３に設けられている第１のスクリーン１０５ａに対する投射領域Ａ１が確保されている。このような第１のスクリーン１０５ａに対する投射領域Ａ１、Ａ３及びＡ５を確保するための構造上の工夫が、スクリーン１０５の裏面側から投影されるプロジェクタ画像を遮ることなく当該スクリーン１０５の裏面側に導くように確保された画像投影空間１０６を構成している。
【００２０】
図３は、プロジェクタ２０１に画像データを送信するコンピュータ３０１のハードウェア構成を示すブロック図である。コンピュータ３０１は、情報処理部としてのマイクロコンピュータ３０６を有している。マイクロコンピュータ３０６は、各種演算処理を実行するＣＰＵ３０７を主体に構成され、このＣＰＵ３０７にＢＩＯＳ等の固定データを固定的に記憶するＲＯＭ３０８と各種可変データを書き替え自在に記憶してワークエリアとして使用されるＲＡＭ３０９とがバスライン３１０を介して接続されて構成されている。このようなマイクロコンピュータ３０６には、ＨＤＤ３１１とＣＤ−ＲＯＭドライブ３１２とが接続され、一例として、ＯＳ（オペレーティングシステム、図４参照）や各種のアプリケーションプログラムを記憶するＣＤ−ＲＯＭ３１３からＣＤ−ＲＯＭドライブ３１２が情報を読み取り、これをＨＤＤ３１１にイントールすることができるように構成されている。
【００２１】
また、図１に外観態様を示す前述のディスプレイ３０３、キーボード３０４及びポインティングデバイス３０５もマイクロコンピュータ３０６に接続されている。ディスプレイ３０３は、マイクロコンピュータ３０６に対する出力機器となり、キーボード３０４及びポインティングデバイス３０５は、マイクロコンピュータ３０６に対する出力機器となる。
【００２２】
更に、マイクロコンピュータ３０６には通信インターフェース３１４も接続されている。この通信インターフェース３１４は、ネットワーク４０１を介してプロジェクタ２０１との間の通信を可能とするプロトコルをサポートしている。
【００２３】
図４は、プロジェクタ２０１の投影画像の基礎となる画像データを編集生成するためのコンピュータ３０１上での仕組みを例示する模式図である。コンピュータ３０１は、そのような画像データの編集及び生成を可能とする。そのための仕組みとして、コンピュータ３０１は、ＨＤＤ３１１にインストールされているアプリケーションプログラムとして、画像形成ソフトウェア３５１をインストールしている。また、この画像形成ソフトウェア３５１と共に利用される画像ライブラリー３５２もＨＤＤ３１１にインストールされている。画像形成ソフトウェア３５１としては、例えばマイクロソフト社のパワーポイント（商品名）が用いられる。このような画像形成ソフトウェア３５１によれば、コンピュータ３０１上で画像データを編集生成することが可能であり、生成した画像データ上に文字を重畳させることも可能である。また、画像形成ソフトウェア３５１は、画像データの編集生成に際して、画像ライブラリー３５２に含まれている各種のモデル画像を利用し、これを編集生成した画像上に貼り付けることができる。画像ライブラリー３５２は、各種の食品等の写真データや絵柄データをモデル画像として記憶している。
【００２４】
画像形成ソフトウェア３５１は、その起動時、そのプログラムコードの全部又は一部がＲＡＭ３０９にコピーされ、画像形成ソフトウェア３５１に基づく処理速度の高速化が図られる。また、このような画像形成ソフトウェア３５１のＲＡＭ３０９へのコピーに付随して、画像ライブラリー３５２の全部又は一部もＲＡＭ３０９にコピーされ、処理速度の高速化が図られる。そして、マイクロコンピュータ３０６は、画像形成ソフトウェア３５１によって編集生成した画像データを、通信インターフェース３１４からネットワーク４０１を介してプロジェクタ２０１に送信することができる。
【００２５】
図５は、プロジェクタ２０１の投影画像の基礎となるコンピュータ３０１上で編集生成された画像データの一例を示す模式図である。図５に示す画像データは、コンピュータ３０１のディスプレイ３０３に表示された画像の態様として示している。そして、この画像データは、三段の載置台１０３にそれぞれ設けられている三つの第１のスクリーン１０５ａにそれぞれ透過投影するための帯状に形成された三つの第１の画像ＩＭＧ１を有している。また、画像データは、下段及び上段の載置台１０３に設けられている第２のスクリーン１０５ｂに透過投影するための第２の画像ＩＭＧ２も有している。そして、画像データ中、それらの第１の画像ＩＭＧ１及び第２の画像ＩＭＧ２以外の領域は、ブラックアウトされている。
【００２６】
下段の載置台１０３に設けられている第１のスクリーン１０５ａに透過投影するための第１の画像ＩＭＧ１は、「白菜」、「とうもろこし」、「キャベツ」、「にんじん」、「えのき」という文字表示と、その所定単位当りの単価表示と、それらの食材の絵柄表示とから構成されている。絵柄表示は、画像ライブラリー３５２から取得可能である。一例として、画像形成ソフトウェア３５１がパワーポイントであれば、絵柄表示を揺れる表示にすることができる。下段の載置台１０３に設けられている第１のスクリーン１０５ａに透過投影する第１の画像ＩＭＧ１は、個々の商品毎に背景画像が区切られておらず、背景が共通化されている。そして、下段の載置台１０３に設けられている第２のスクリーン１０５ｂに透過投影するための第２の画像ＩＭＧ２は、それらの「白菜」、「とうもろこし」、「キャベツ」、「にんじん」、「えのき」の写真画像である。写真画像も、画像ライブラリー３５２から取得可能である。
【００２７】
中段の載置台１０３に設けられている第１のスクリーン１０５ａに透過投影するための第１の画像ＩＭＧ１は、「特売セール中  全品１０％ＯＦＦ」という文字表示と、対応商品の絵柄表示とから構成されている。一例として、画像形成ソフトウェア３５１がパワーポイントであれば、文字表示及び絵柄表示をスクロール表示することが可能である。
【００２８】
上段の載置台１０３に設けられている第１のスクリーン１０５ａに透過投影するための第１の画像ＩＭＧ１は、「黒豆小粒」、「テンペ」、「なっとう」、「ひきわり旨味」、「黒豆小粒」、「黒豆小粒」、「黒豆小粒」という文字表示と、その所定単位当りの単価表示と、それらの食材の絵柄表示とから構成されている。絵柄表示は、画像ライブラリー３５２から取得可能である。一例として、画像形成ソフトウェア３５１がパワーポイントであれば、絵柄表示を動く表示にすることができる。上段の載置台１０３に設けられている第１のスクリーン１０５ａに透過投影する第１の画像ＩＭＧ１は、個々の商品毎に背景画像が区切られており、その背景が例えば異なる色で区分けされている。また、上段の載置台１０３に設けられている第２のスクリーン１０５ｂに透過投影するための第２の画像ＩＭＧ２は、「テンペ」という商品についての説明文である。
【００２９】
図６は、コンピュータ３０１上で編集生成された画像データがプロジェクタ２０１によってスクリーン１０５に透過投影された状態の一例を示す陳列棚１０１の斜視図である。コンピュータ３０１は、図５に例示するような画像を含む画像データを通信インターフェース３１４からネットワーク４０１を介してプロジェクタ２０１に送信することができる。画像データを受信したプロジェクタ２０１は、受信した画像データに基づく投影画像を生成し、これをレンズ２０２から陳列棚１０１の裏面に投影する。その結果、陳列棚１０１の個々の載置台１０３に設けられている第１のスクリーン１０５ａ及び第２のスクリーン１０５ｂにプロジェクタ２０１からの投影画像が透過投影される。
【００３０】
図６に示すように、図５に例示する画像データが有している帯状の三つの第１の画像ＩＭＧ１は、それぞれ、三段の載置台１０３に設けられている第１のスクリーン１０５ａに透過投影されている。また、図５に例示する画像データが有している第２の画像ＩＭＧ２は、下段の載置台１０３と上段の載置台１０３とにそれぞれ設けられている第２のスクリーン１０５ｂに透過投影されている。この場合、コンピュータ３０１上で編集生成した画像データと同様に、例えば揺れる表示やスクロール表示は、そのまま図６に示すスクリーン１０５上でも揺れる表示やスクロール表示として表示可能である。
【００３１】
以上説明したように、本実施の形態によれば、陳列棚１０１に設けられたスクリーン１０５にプロジェクタ２０１によってプロジェクタ画像を透過投影するという構造上、情報表示領域を広く確保することができる。とりわけ、商品１０２を載置する載置台１０３の前端から下方に垂下する第１のスクリーン１０５ａのみならず、通常は表示などし得ない載置台１０３の奥側に位置する第２のスクリーン１０５ｂにもプロジェクタ画像の表示が可能であり、より情報表示領域の拡大に資するものであるといえる。
【００３２】
しかも、プロジェクタ表示であるが故に、個々のスクリーン１０５（第１のスクリーン１０５ａ、第２のスクリーン１０５ｂ）には、様々な表現態様の画像を映し出すことが可能である。例えば、図６に示すように、下段の載置台１０３に設けられている第１のスクリーン１０５ａに透過投影される第１の画像ＩＭＧ１は、個々の商品毎に背景画像が区切られておらず、背景が共通化されている。このため、例えば電子棚札等のような従来の表示態様との比較において、一つの載置台１０３の全幅に渡り継ぎ目がない自然で綺麗な表示を得ることができる。これに対して、図６に示すように、上段の載置台１０３に設けられている第１のスクリーン１０５ａに透過投影されている第１の画像ＩＭＧ１は、個々の商品毎に背景画像が区切られており、その背景が例えば異なる色で区分けされている。そして、このような区分けは、例えば従来からある電子棚札等のような表示装置側の構造に依存した区分けではなく、コンピュータ３０１上で編集生成可能な画像データ（図５参照）上で如何様にも編集生成可能な区分けであり、より自由なレイアウトが可能となる。
【００３３】
そして、何より、個々のスクリーン１０５（第１のスクリーン１０５ａ、第２のスクリーン１０５ｂ）に映し出す画像の表現態様という面に着目すると、陳列棚１０１への表示に限れば、従来全くなかった極めて新味がある新鮮さを持っている。このような新鮮さは、顧客吸引力を高めるものとして期待される。
【００３４】
更に、本実施の形態の陳列棚システム１１の優れた点は、例えば中段の載置台１０３に設けられている第１のスクリーン１０５ａの「特売セール中  全品１０％ＯＦＦ」という文字表示及び対応商品の絵柄表示に見られるように、スクリーン１０５に対する透過投影表示にＰＯＰ広告機能を持たせ得るという点である。ＰＯＰ広告機能は、本実施の形態で容易な文字表示及び絵柄表示のスクロール表示により、より強化される。
【００３５】
図７は、陳列棚１０１とプロジェクタ２０１との配置関係の別の実施の一形態を示す縦断側面図である。図７に示す実施の形態では、プロジェクタ２０１が天井面１５１に取り付けられ、プロジェクタ画像を下方に投影するように構成されている。そして、プロジェクタ２０１から投影されるプロジェクタ画像の投射領域に位置させて、高さを違えられた三つのミラー１５２（画像分割手段）が設けられている。これらのミラー１５２は、陳列棚１０１に設けられているスクリーン１０５（第１のスクリーン１０５ａ、第２のスクリーン１０５ｂ）の裏面にプロジェクタ２０１からの一つの投影画像を複数に分割して反射投影する。つまり、最下位のミラー１５２は、下段に位置する載置台１０３に設けられている第１のスクリーン１０５ａ及び第２のスクリーン１０５ｂにプロジェクタ２０１からの投影画像を反射投影し、中間のミラー１５２は、中段に位置する載置台１０３に設けられている第１のスクリーン１０５ａ及び第２のスクリーン１０５ｂにプロジェクタ２０１からの投影画像を反射投影し、最上位のミラー１５２は、上段に位置する載置台１０３に設けられている第１のスクリーン１０５ａ及び第２のスクリーン１０５ｂにプロジェクタ２０１からの投影画像を反射投影するように各部が位置付けられている。プロジェクタ２０１からの投影画像をミラー１５２で反射投影するからである。その結果、陳列棚１０１の個々のスクリーン１０５（第１のスクリーン１０５ａ、第２のスクリーン１０５ｂ）には、図６と同様の態様でプロジェクタ画像が透過投影されることになる。
【００３６】
次に本発明の第２の形態を図８ないし図１０に基づいて説明する。
【００３７】
図８は、本発明の第２の実施の形態に係る陳列棚の断面模式図、図９は実施の形態に係る陳列棚の図８中のＡ−Ａ線に相当する断面模式図である。
【００３８】
本例は、上記例と同様にスーパーマーケットへの適用に適した陳列棚システム２１について紹介する。なお、この例において、陳列棚システム２１は、陳列棚５００と、バックヤードの配置されるコンピュータ（図示していない）とから構成される。なお、コンピュータの構成、及び、陳列棚システム２１に表示される画像のコンテンツは上述した例と同様であるのでその詳細な説明は省略する。
【００３９】
陳列棚システム２１は床面１０に配置される陳列棚５００と、陳列棚５００内に配置されるプロジェクタ２０１と、バックヤードに配置されるコンピュータ（図示していない）とからなる。陳列棚５００は、下部前板５０１と、底板５０２と、背板５０３と天板５０４とを備えており、これらの部材は、図９に示すように、２枚の側板５０５，５０６に挟まれるように配置されている。
【００４０】
陳列棚５００には、３段の陳列台が配置されている。即ち、下部前板５０１の上側には、最下段の載置台をなす棚板５１１が配置され、順次上方に向け第２段の載置台をなす棚板５１２、第３段の載置台をなす棚板５１３が配置されている。これらの各棚板５１１，５１２，５１３は前記側板５０５，５０６に挟まれて水平となるように固定されている。
【００４１】
また、各陳列台に対応して各棚板５１１，５１２，５１３の上方には、スクリーン５２１，５２２，５２３が配置されている。各スクリーン５２１，５２２，５２３は例えば乳白色のアクリル板で形成され、背後から投影された像を前面から視認できる透過型のものである。スクリーン５２１は棚板５１２の前端から下方に向け所定角度α（図１０参照）をもって配置され、スクリーン５２２は棚板５１３の前端から下方に向け所定の角度β（同）をもって配置され、スクリーン５２３は天板５０４の前端から下方に向け所定の角度γ（同）をもって配置される。
【００４２】
ここで、スクリーン５２１，５２２は棚板５１２，５１３に固定されるほか側板５０５，５０６に固定されて配置される。更にスクリーン５２３は天板５０４の前端に固定されるほか側板５０５，５０６に固定されて配置される。
【００４３】
また、各棚板５１１，５１２，５１３の奥側端部には、陳列台の奥行きを規定する奥板５３１、５３２、５３３が立設配置されている。
【００４４】
また、各奥板５３１、５３２、５３３の最上部からは、各棚板５１１，５１２，５１３の設置方向に沿って陳列台の天井部をなす天井板５４１，５４２，５４３が配置されている。この例では、天井板５４１，５４２は、棚板５１１，５１２に平行に配置され、天井板５４３は、スクリーン５２３へ投影されるプロジェクタ画像を遮らないように所定の傾きを形成して配置されている。各天井板５４１，５４２，５４３は、その前端を前記スクリーン５２１，５２２，５２３の下端に接続されている。
【００４５】
そして、スクリーン５２１、天井板５４１、棚板５１２に囲まれる領域にはスクリーン５２１に投影されるプロジェクタ画像が水平方向に投影される水平投影領域をなす段部画像投影空間５６１が形成される。
【００４６】
同様に、スクリーン５２２、天井板５４２、棚板５１３に囲まれる領域には、段部画像投影空間５６２が形成され、スクリーン５２３、天井板５４３、天板５０４に囲まれる領域には、段部画像投影空間５６３が形成される。
【００４７】
このように天井板５４１，５４２，５４３を設けることにより、段部画像投影空間５６１，５６２，５６３の下部は覆われ、棚板５１１，５１２，５１３に配置される商品が段部画像投影空間５６１，５６２，５６３内に入り込むのが防止され、商品によりプロジェクタ投影像に影ができるのを防止できる。
【００４８】
また、陳列棚５００の下部前板５０１と背板５０３の間には、プロジェクタ２０１の配置空間５６４が形成されるほか、各奥板５３１、５３２、５３３と背板５０３の間にはプロジェクタ画像の鉛直投影領域である鉛直方向の奥側画像投影空間５６５が形成される。
【００４９】
配置空間５６４にはプロジェクタ２０１が配置されている。プロジェクタ２０１は底板５０２上に配置されたプロジェクタ設置部としてのプロジェクタ設置台５７０に設置される。このプロジェクタ設置台５７０はプロジェクタ２０１の光学軸Ｏ（図１０参照）が鉛直線Ｐ（同）に対して所定の角度θ（同）傾くように配置するものであり、所定の設置部５７１を形成して構成されている。このように、プロジェクタ２０１を傾斜させて配置することにより、プロジェクタの配置に必要な領域を小さいものとすることができる。
【００５０】
奥側画像投影空間５６５には、前記３枚のスクリーン５２１，５２２，５２３に前記プロジェクタ２０１からの投影光を反射する反射装置としての平面鏡５５１、５５２，５５３が配置されている。この平面鏡５５１、５５２，５５３は、図９に示すように、側板５０５，５０６に両端を固定されて配置されるものであり、それらの反射面が側板５０５，５０６の間に渡って形成される。
【００５１】
次にプロジェクタ２０１と平面鏡５５１、５５２，５５３と、スクリーン５２１，５２２，５２３との位置関係について説明する。
【００５２】
図１０は実施の形態に係る陳列棚システムの光学系を示す断面模式図である。陳列棚５００において、配置されるプロジェクタは１台であり、プロジェクタ２０１からはプロジェクタ２０１内部に配置された液晶表示装置２０３等に表示される一画面のプロジェクタ画像がスクリーン５２１，５２２，５２３に向け投影される。この一画面のプロジェクタ画像は、平面鏡５５１、５５２，５５３で、スクリーン５２１，５２２，５２３に表示すべき画像である３枚の分割プロジェクタ画像に分割され、投影方向が略水平方向に偏向され、前記段部画像投影空間５６１，５６２，５６３に入射される。
【００５３】
なお、投影される画像は前記台の実施の形態で説明したように、帯状に分割され、必要な情報が表示される。
【００５４】
このため、プロジェクタ２０１の液晶表示装置２０３からの投影光が各スクリーン５２１，５２２，５２３に正確に合焦した像を結像するよう位置が決定される。
【００５５】
ここで、平面鏡５５１、５５２，５５３が配置されていない状態を想定すると、プロジェクタ２０１の投影光学系の光学軸Ｏは、鉛直線Ｐに対して角度θをなしている。そして液晶表示装置２０３の像は、光学軸Ｏに対して垂直な面、即ち仮想的な像面２０５に合焦して理想的には歪みなく投影される。
【００５６】
平面鏡５５１、５５２，５５３とスクリーン５２１，５２２，５２３とは平面鏡５５１、５５２，５５３が投影光を反射してスクリーン５２１，５２２，５２３に投影像を結像するように配置される。即ち、平面鏡５５１、５５２，５５３を備える反射光学系において、液晶表示装置２０３を物面とし、スクリーン５２１，５２２，５２３を像面とするよう配置される。
【００５７】
スクリーン５２１と平面鏡５５１とに着目する。今平面鏡５５１を考慮しないと、スクリーン５２１の最上部に投射されるべき光は、光学軸Ｏと角度κをなし、レンズ２０２の光射出側の主点２０４を経て平面鏡５５１で反射され仮想的の像面２０５に至る。このとき光と像面２０５とのなす角度はα（α＝π／２−κ）、平面鏡５５１の反射面と像面２０５とは距離ａだけ離れている。
【００５８】
そこで、平面鏡５５１を配置したとき、スクリーン５２１の上端の位置が平面鏡５５１から距離ａだけ離れ、水平に配置された棚板５１２に対して角度αだけ内側に傾斜して配置される。
【００５９】
このように、平面鏡５５１とスクリーン５２１とを配置すると、液晶表示装置２０３とスクリーン５２１とは共役な位置に配置されることとなる。
【００６０】
同様に、平面鏡５５２とスクリーン５２１、平面鏡５５３とスクリーン５２３とは同様の位置関係に配置される。
【００６１】
即ち、スクリーン５２２は棚板５１３に対して角度β（π／２−λ）だけ内側に傾斜して、かつ、その上縁部が平面鏡５５１から距離ｂだけ離間するように配置される。
【００６２】
また、スクリーン５２３は天板５０４に対して角度γ（π／２−μ）だけ内側に傾斜して、かつ、その上縁部が平面鏡５５１から距離ｃだけ離間するように配置される。
【００６３】
陳列棚５００ではこのような条件を満たすことにより、プロジェクタ２０１の投影像が各スクリーン５２１，５２２，５２３にピントが合った状態で、かつ歪みなく投影されることとなる。
【００６４】
従って、本例に係る陳列棚システム２１によれば、各スクリーンに投影像が合焦した状態で歪みなく明瞭に表示される他、棚板に配置される商品により投影像が遮られることが防止でき良好なプロジェクタ画像を投影することができる。
【００６５】
次に第３の実施形態に係る陳列棚システムについて説明する。本例は、水銀ランプ等を採用する水平配置専用のプロジェクタを使用するものである。
【００６６】
図１１は第３の実施の形態に係る陳列棚の断面模式図、図１２は第３の実施の形態に係る陳列棚の光学系を示す断面模式図である。
【００６７】
本例に係る陳列棚システム２２は、陳列棚６００に配置されるプロジェクタ２０１を水平方向に配置するプロジェクタ設置台６７０を配置すると共に略水平方向に射出されるプロジェクタ２０１の投影光を略上向きに反射して光路を偏向する第２の反射装置である反射鏡６８０を配置する他は、第２の実施の形態例と同様の構成を有する。
【００６８】
即ち、陳列棚システム２２は床面１０に配置される陳列棚６００と、陳列棚６００内に配置されるプロジェクタ２０１と、バックヤードに配置されるコンピュータ（図示していない）とからなる。陳列棚６００は、下部前板６０１と、底板６０２と、背板６０３と天板６０４とを備えており、これらの部材は、２枚の側板に挟まれるように配置されている。
【００６９】
また、陳列棚６００には、３段の陳列台が配置されている。即ち、下部前板６０１の上側には、最下段の載置台をなす棚板６１１が配置され、順次上方に向け第２段の載置台をなす棚板６１２、第３段の載置台をなす棚板６１３が配置されている。これらの各棚板６１１，６１２、６１３は前記側板に挟まれて水平となるように固定されている。
【００７０】
また、各陳列台に対応して各棚板６１１，６１２、６１３の上方には、スクリーン６２１，６２２，６２３が配置されている。各スクリーン６２１，６２２，６２３は例えば乳白色のアクリル板で形成され、背後から投影された像を前面から視認できる透過型のものである。スクリーン６２１は棚板６１２の前端から下方に向け所定角度α（図１２参照）をもって配置され、スクリーン６２２は棚板５１３の前端から下方に向け所定の角度β（同）をもって配置され、スクリーン６２３は天板６０４の前端から下方に向け所定の角度γ（同）をもって配置される。
【００７１】
ここで、スクリーン６２１，６２２は棚板６１２，６１３に固定されるほか側板に固定されて配置される。更にスクリーン６２３は天板６０４の前端に固定されるほか側板に固定されて配置される。
【００７２】
また、各棚板６１１，６１２、６１３の奥側端部には、陳列台の奥行きを規定する奥板６３１、６３２、６３３が立設配置されている。各奥板６３１、６３２、６３３の最上部からは、各棚板６１１，６１２，６１３の設置方向に沿って陳列台の天井部をなす天井板６４１，６４２，６４３が配置されている。この例では、天井板６４１，６４２は、棚板６１１，６１２に平行に配置され、天井板６４３は、スクリーン６２３へ投影されるプロジェクタ画像を遮らないように所定の傾きを形成して配置されている。各天井板６４１，６４２，６４３は、その前端を前記スクリーン６２１，６２２，６２３の下端に接続されている。
【００７３】
そして、スクリーン６２１、天井板６４１、棚板６１２に囲まれる領域にはスクリーン６２１に投影されるプロジェクタ画像が水平方向に投影される水平投影領域をなす段部画像投影空間６６１が形成される。
【００７４】
同様に、スクリーン６２２、天井板６４２、棚板６１３に囲まれる領域には、段部画像投影空間６６２が形成され、スクリーン６２３、天井板６４３、天板６０４に囲まれる領域には、段部画像投影空間６６３が形成される。
【００７５】
このように天井板６４１，６４２，６４３を設けることにより、段部画像投影空間６６１，６６２，６６３の下部は覆われ、棚板６１１，６１２，６１３に配置される商品が段部画像投影空間６６１，６６２，６６３内に入り込むのが防止され、商品によりプロジェクタ投影像に影ができるのを防止できる。
【００７６】
また、陳列棚６００の下部前板６０１と背板６０３の間には、プロジェクタ２０１の配置空間６６４が形成されるほか、各奥板６３１、６３２、６３３と背板６０３の間にはプロジェクタ画像の鉛直投影領域である鉛直方向の奥側画像投影空間６６５が形成される。
【００７７】
配置空間６６４にはプロジェクタ２０１が配置されている。プロジェクタ２０１は底板６０２上に配置されたプロジェクタ設置部としてのプロジェクタ設置台６７０に設置される。このプロジェクタ設置台６７０には、プロジェクタ２０１を水平状態で設置できる設置部６７１が形成されており、設置状態においてプロジェクタ２０１の光学軸Ｏ（図１２参照）は水平方向に位置し、プロジェクタ２０１からのプロジェクタ画像は、この光学軸Ｏに沿って投射される。このように、プロジェクタ２０１を水平に配置することにより、プロジェクタ内の水銀ランプ等の光源が安定して発光する。
【００７８】
プロジェクタ２０１の近傍には、第２の反射装置として反射鏡６８０が配置される。この反射鏡６８０は平面鏡であり上記側板や背板６０３に固定することができる他、プロジェクタ設置台６７０に取り付けて配置することができる。
【００７９】
反射鏡６８０はプロジェクタ２０１の光学軸Ｏが鉛直線Ｐに対してθだけ傾くようにプロジェクタ２０１の投射光を反射するように傾斜して配置されている。
【００８０】
反射鏡６８０以降の光学系及び投影光の光路の状態は前記第２の実施の形態例と同一としている。
【００８１】
即ち、奥側画像投影空間６６５には、反射部材としての平面鏡６５１，６５２，６５３が配置されている。この平面鏡６５１，６５２，６５３は、側板に両端を固定されて配置されてなるものであり、それらの反射面が側板の間に渡って配置される。
【００８２】
平面鏡６５１，６５２，６５３と、スクリーン６２１，６２２，６２３との位置関係は第２の形態例と同一である。
【００８３】
図１２は第２の実施の形態に係る陳列棚システムの光学系を示す断面模式図である。陳列棚６００において、配置されるプロジェクタは１台であり、プロジェクタ２０１からはプロジェクタ２０１内部に配置された液晶表示装置２０３等に表示される一画面のプロジェクタ画像がスクリーン６２１，６２２，６２３に向け投影される。この一画面のプロジェクタ画像は、平面鏡６５１，６５２，６５３で、スクリーン６２１，６２２，６２３に表示すべき画像である３枚の分割プロジェクタ画像に分割され、投影方向が略水平方向に偏向され、前記段部画像投影空間６６１，６６２，６６３に入射される。
【００８４】
平面鏡６５１，６５２，６５３とスクリーン６２１，６２２，６２３とは平面鏡６５１，６５２，６５３が投影光を反射してスクリーン６２１，６２２，６２３に投影像を結像するように配置される。即ち、平面鏡６５１，６５２，６５３を備える反射光学系において、液晶表示装置２０３を物面とし、スクリーン６２１，６２２，６２３を像面とするよう配置される。
【００８５】
平面鏡６５１を配置したとき、スクリーン６２１の上端の位置が平面鏡６５１から距離ａだけ離れ、水平に配置された棚板６１２に対して角度α（π／２−κ）だけ内側に傾斜して配置される。
【００８６】
このように、平面鏡６５１とスクリーン６２１とを配置すると、液晶表示装置２０３とスクリーン６２１とは共役な位置に配置されることとなる。
【００８７】
同様に、平面鏡６５２とスクリーン６２１、平面鏡６５３とスクリーン６２３とは同様の位置関係に配置される。
【００８８】
即ち、スクリーン６２２は棚板６１３に対して角度β（π／２−λ）だけ内側に傾斜して、かつ、その上縁部が平面鏡６５１から距離ｂだけ離間するように配置される。
【００８９】
また、スクリーン６２３は天板６０４に対して角度γ（π／２−μ）だけ内側に傾斜して、かつ、その上縁部が平面鏡６５１から距離ｃだけ離間するように配置される。
【００９０】
陳列棚６００ではこのような条件を満たすことにより、プロジェクタ２０１の投影像が各スクリーン６２１，６２２，６２３にピントが合った状態で、かつ歪みなく投影されることとなる。
【００９１】
従って本例に係る陳列棚システム２２によれば、各スクリーンに投影像が合焦した状態で歪みなく明瞭に表示される他、棚板に配置される商品により投影像が遮られることが防止でき良好なプロジェクタ画像を投影することができる。また、プロジェクタを水平方向に配置できるので、プロジェクタとして水銀灯等傾斜させて使用することができないタイプのものを使用することができる。
【００９２】
なお、前記第２及び第３の実施の形態では奥板には投影像を表示しないものとして説明したが、奥板の配置部分に透過型のスクリーンを配置すれば、この部分にも投影像を表示することができる。この場合、奥板の設置個所に設置されたスクリーンに表示された像は投影像の合焦位置からずれているためぼやけたものとなる。
【００９３】
また、陳列棚の段数配置個所は必要に応じて適宜変更することができる。更に、前記プロジェクタ、平面鏡、スクリーンの配置数、配置位置は、陳列棚の段数、形状、プロジェクタの仕様により適変更することができる。
【図面の簡単な説明】
【００９４】
【図１】本発明の第１の実施の形態を示す陳列棚システム全体の模式図である。
【図２】陳列棚とプロジェクタとの配置関係を示す縦断側面図である。
【図３】プロジェクタに画像データを送信するコンピュータのハードウェア構成を示すブロック図である。
【図４】プロジェクタの投影画像の基礎となる画像データを編集生成するためのコンピュータ上での仕組みを例示する模式図である。
【図５】プロジェクタの投影画像の基礎となるコンピュータ上で編集生成された画像データの一例を示す模式図である。
【図６】コンピュータ上で編集生成された画像データがプロジェクタによってスクリーンに透過投影された状態の一例を示す陳列棚の斜視図である。
【図７】陳列棚とプロジェクタとの配置関係の別の実施の一形態を示す縦断側面図である。
【図８】本発明の第２の実施の形態に係る陳列棚の断面模式図である。
【図９】実施の形態に係る陳列棚の図８中のＡ−Ａ線に相当する断面模式図である。
【図１０】本発明の第３の実施の形態に係る陳列棚の光学系を示す断面模式図である。
【図１１】第３の実施の形態の変形例に係る陳列棚の断面模式図である。
【図１２】第２の実施の形態の変形例に係る陳列棚の光学系を示す断面模式図である。
【符号の説明】
【００９５】
１１，２１，２２  陳列棚システム、１０１  陳列棚、１０２  商品（品物）、１０３  載置台、１０５  スクリーン、１０６  画像投影空間、１５２  ミラー（画像分割手段）、２０１  プロジェクタ、３０１  コンピュータ、５００  陳列棚、５１１，５１２、５１３、  棚板  ５２１，５２２，５２３、スクリーン  ５５１，５５２，５５３  平面鏡（反射装置）、５７０  プロジェクタ設置台（プロジェクタ設置部）、６００  陳列棚、６１１，６１２，６１３  棚板、６２１，６２２，６２３  スクリーン、  ６５１，６５２，６５３  平面鏡、  ６７０  プロジェクタ設置台（プロジェクタ設置部）、６８０  反射鏡（第２の反射装置）
【図１】
2007289636.tif 000003
【図２】
2007289636.tif 000004
【図３】
2007289636.tif 000005
【図４】
2007289636.tif 000006
【図５】
2007289636.tif 000007
【図６】
2007289636.tif 000008
【図７】
2007289636.tif 000009
【図８】
2007289636.tif 000010
【図９】
2007289636.tif 000011
【図１０】
2007289636.tif 000012
【図１１】
2007289636.tif 000013
【図１２】
2007289636.tif 000014